(57)【要約】【課題】鉄骨構造の建物に木製階段を取り付ける場合においても、仮設階段を不要とする。【解決手段】階段支持用治具１０は、建物１の鉄骨梁２に近接して設置される木製階段４を、建物１の木部材に固定する前に、鉄骨梁２に対して取り付けるために用いられる。階段支持用治具１０は、鉄骨梁２の上フランジ２Ｂに掛止される掛止部１１と、掛止部１１が鉄骨梁２の上端に掛止された状態で木製階段４を支持する支持部４Ｃと、掛止部１１と支持部４Ｃを連結する連結部１３と、を備える。【選択図】図２
2019112864.tif 000002
【特許請求の範囲】
【請求項１】
建物の鉄骨梁に近接して設置される木製階段を、前記建物の木部材に固定する前に、前記鉄骨梁に対して取り付けるために用いられる階段支持用治具であって、
前記鉄骨梁の上端に掛止される掛止部と、
前記掛止部が前記鉄骨梁の上端に掛止された状態で前記木製階段を支持する支持部と、
前記掛止部と前記支持部を連結する連結部と、を備えることを特徴とする階段支持用治具。
【請求項２】
前記連結部は、平板状であり、
前記掛止部と前記支持部は、前記連結部から略垂直方向に延出していることを特徴とする請求項１に記載の階段支持用治具。
【請求項３】
前記掛止部と前記支持部は、前記連結部から同じ向きに延出していることを特徴とする請求項２に記載の階段支持用治具。
【請求項４】
前記連結部は、前記鉄骨梁と前記木製階段を避けるように屈曲していることを特徴とする請求項３に記載の階段支持用治具。
【請求項５】
前記鉄骨梁は、
上下に延出するウェブと、
前記ウェブの上端に接続する上フランジと、
前記ウェブの下端に接続する下フランジと、を有し、
前記連結部は、
前記掛止部と接続する第１接続部と、
前記支持部と接続する第２接続部と、
前記第１接続部と前記第２接続部を連結する屈曲部と、を有し、
前記掛止部が、前記鉄骨梁の前記上フランジに掛止された状態で、前記第１接続部は前記上フランジより上方にあり、前記第２接続部は前記下フランジよりも上方にあることを特徴とする請求項４に記載の階段支持用治具。
【請求項６】
前記屈曲部は、
前記第１接続部から下方に延出する第１下方延出部と、
前記第１下方延出部から斜め下方に延出する斜方延出部と、
前記斜方延出部から下方に延出し、前記第２接続部に接続する第２下方延出部と、を有し、
前記斜方延出部を上下方向に貫く回転軸周りに回転可能であることを特徴とする請求項５に記載の階段支持用治具。
【請求項７】
前記第２接続部には、１以上の貫通孔が形成され、
前記貫通孔に挿通される締結具により、前記第２接続部が前記木製階段の側部に対して固定可能であることを特徴とする請求項５又は６に記載の階段支持用治具。
【請求項８】
前記掛止部と前記支持部との上下方向の距離は、前記木製階段の上端と、前記鉄骨梁の下端との上下方向の距離よりも長いことを特徴とする請求項１乃至７のいずれかに記載の階段支持用治具。
【請求項９】
前記連結部は、略Ｓ字状に屈曲していることを特徴とする請求項２に記載の階段支持用治具。
【発明の詳細な説明】
【技術分野】
【０００１】
本発明は、階段支持用治具に係り、特に建物の鉄骨梁に本設用の木製階段を仮付けするために用いられる階段支持用治具に関する。
【背景技術】
【０００２】
鉄骨構造の住宅等の建物において、屋内階段に木製階段を用いる場合には、建物の木工事の際に木製階段を取り付けることが一般的である。そのため、木工事の前には、特許文献１に記載のように建物の躯体に仮設階段を設置し、本設用の木製階段を設置した後に仮設階段を取り外すようにしている。
【先行技術文献】
【特許文献】
【０００３】
【特許文献１】特開平７−３４６２８号公報
【発明の概要】
【発明が解決しようとする課題】
【０００４】
しかしながら、上記の従来技術では、建物に対して仮設階段の取り付けと取り外しの作業が伴うため、工期の短縮化の点で課題があった。そのため、鉄骨構造の建物に木製階段を取り付ける場合においても、仮設階段を不要とし、工期の短縮化を可能とすることが望まれている。
【０００５】
本発明は上記の課題に鑑みてなされたものであって、その目的は、鉄骨構造の建物に木製階段を取り付ける場合においても、仮設階段を不要とすることができる階段支持用治具を提供することにある。
【課題を解決するための手段】
【０００６】
上記課題は、本発明に係る階段支持用治具によれば、建物の鉄骨梁に近接して設置される木製階段を、前記建物の木部材に固定する前に、前記鉄骨梁に対して取り付けるために用いられる階段支持用治具であって、前記鉄骨梁の上端に掛止される掛止部と、前記掛止部が前記鉄骨梁の上端に掛止された状態で前記木製階段を支持する支持部と、前記掛止部と前記支持部を連結する連結部と、を備えることにより解決される。
【０００７】
上記の階段支持用治具によれば、木製階段を建物の木部材に固定する前に、木製階段を鉄骨梁に取り付けることができる。これにより、木製階段を固定する前においても、木製階段が利用可能となる。そのため、鉄骨構造の建物に木製階段を取り付ける場合において、鉄骨梁に仮設階段を設置することを不要とし、工期の短縮化が可能となる。
また、木製階段を鉄骨梁に対して仮付けすることで、木製階段を建物の木部材に固定する際に木製階段の位置調整がしやすくなる。
【０００８】
上記の階段支持用治具において、前記連結部は、平板状であり、前記掛止部と前記支持部は、前記連結部から略垂直方向に延出しているとよい。
こうすることで、簡易な構造により木製階段を安定的に支持することができる。
【０００９】
上記の階段支持用治具において、前記掛止部と前記支持部は、前記連結部から同じ向きに延出しているとよい。
こうすることで、階段支持用治具を回転させることで掛止部と支持部を、鉄骨梁と木製階段と干渉しない位置に向けることができる。これにより、階段支持用治具を取り外しやすくなる。
【００１０】
上記の階段支持用治具において、前記連結部は、前記鉄骨梁と前記木製階段を避けるように屈曲しているとよい。
こうすることで、鉄骨梁と木製階段との干渉を避けて階段支持用治具を配置しやすくなる。
【００１１】
上記の階段支持用治具において、前記鉄骨梁は、上下に延出するウェブと、前記ウェブの上端に接続する上フランジと、前記ウェブの下端に接続する下フランジと、を有し、前記連結部は、前記掛止部と接続する第１接続部と、前記支持部と接続する第２接続部と、前記第１接続部と前記第２接続部を連結する屈曲部と、を有し、前記掛止部が、前記鉄骨梁の前記上フランジに掛止された状態で、前記第１接続部は前記上フランジより上方にあり、前記第２接続部は前記下フランジよりも上方にあるとよい。
こうすることで、Ｈ形の鉄骨梁に対して木製階段を取り付けることができる。また、階段支持用治具を、Ｈ形の鉄骨梁のフランジに干渉しないように設置できる。
【００１２】
上記の階段支持用治具において、前記屈曲部は、前記第１接続部から下方に延出する第１下方延出部と、前記第１下方延出部から斜め下方に延出する斜方延出部と、前記斜方延出部から下方に延出し、前記第２接続部に接続する第２下方延出部と、を有し、前記斜方延出部を上下方向に貫く回転軸周りに回転可能であるとよい。
こうすることで、階段支持用治具を回転軸周りにコンパクトに回転させることができる。これにより、階段支持用治具が回転する際に、鉄骨梁や木製階段に干渉することを抑制できる。
そのため、木製階段を建物の木部材に固定した後に、階段支持用治具を取り外しやすくなる。
【００１３】
上記の階段支持用治具において、前記第２接続部には、１以上の貫通孔が形成され、前記貫通孔に挿通される締結具により、前記第２接続部が前記木製階段の側部に対して固定可能であるとよい。
こうすることで、階段支持用治具が木製階段から外れないように固定できる。これにより、階段支持用治具の動きを規制し、階段支持用治具の脱落を抑制できる。また、木製階段の支持を安定させ、木製階段のがたつきを抑制できる。
【００１４】
上記の階段支持用治具において、前記掛止部と前記支持部との上下方向の距離は、前記木製階段の上端と、前記鉄骨梁の下端との上下方向の距離よりも長いとよい。
こうすることで、階段支持用治具を取り外す際に、木製階段と鉄骨梁に干渉することを抑制できる。これにより、階段支持用治具を取り外しやすくなる。
【００１５】
上記の階段支持用治具において、前記連結部は、略Ｓ字状に屈曲しているとよい。
こうすることで、階段支持用治具の剛性を高めることができる。
【発明の効果】
【００１６】
本発明によれば、鉄骨構造の建物に木製階段を取り付ける場合においても、仮設階段を不要とすることができる。
【図面の簡単な説明】
【００１７】
【図１】本実施形態に係る階段支持用治具を用いて建物の鉄骨梁に木製階段を仮設した状態を示す図である。
【図２】鉄骨梁の上方からの階段支持用治具の取付状態を示す図である。
【図３】鉄骨梁の下方からの階段支持用治具の取付状態を示す図である。
【図４】階段支持用治具の正面図である。
【図５】階段支持用治具の左側面図である。
【図６】階段支持用治具の上面図である。
【図７】階段支持用治具の取り外し工程を説明する図である。
【図８】階段支持用治具の取り外し工程を説明する図である。
【図９】階段支持用治具の取り外し工程を説明する図である。
【図１０】階段支持用治具の取り外し工程を説明する図である。
【発明を実施するための形態】
【００１８】
以下、図１乃至図１０を参照しながら、本発明の実施の形態（以下、本実施形態）に係る階段支持用治具１０について説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれる。
【００１９】
＜階段支持用治具１０の構成＞
階段支持用治具１０は、建物１の鉄骨梁２に近接して設置される木製階段４を、建物１の木部材に固定する前に、鉄骨梁２に対して取り付ける（仮設する）ために用いられる治具である。
なお、上記の「建物１の木部材」とは、建物１の床、壁等を構成する木材である。
【００２０】
図１には、階段支持用治具１０を用いて建物１の鉄骨梁２に木製階段４を支持させた状態を示した。
図１には、建設中の建物１を示しており、図示された状態では鉄骨梁２、鉄骨柱３等の躯体と、下階の床５が設けられている。
この状態において、床５と鉄骨梁２とを繋ぐように木製階段４を設置する。この際、建物１には壁（木製）が未だ設置されていないため、木製階段４を本固定することはできないが、本実施形態に係る階段支持用治具１０を用いることで、鉄骨梁２に木製階段４を仮設することが可能となる。
なお、鉄骨梁２は、ウェブ２Ａと、ウェブ２Ａの上端と下端にそれぞれ上フランジ２Ｂ及び下フランジ２Ｃが設けられるＨ形鋼であり、階段支持用治具１０は、上フランジ２Ｂに取り付けられた状態で木製階段４を支持するものである。
【００２１】
以下、図２乃至図６を参照しながら、階段支持用治具１０の構成について詳細に説明する。なお、以下において、上下、前後、左右の各方向は、建物１の床５から木製階段４を正面から見る際の上下、前後、左右の各方向に一致する。換言すれば、上下方向は、鉄骨柱３の延出方向に一致し、左右方向は、木製階段４が取り付けられる鉄骨梁２の延出方向に一致し、前後方向は上下方向と左右方向に対して垂直な方向に一致する。
また、階段支持用治具１０は、木製階段４の上端部４Ａの左右端部を支持する位置に二つ設けられることとするが、左右端部の階段支持用治具１０は形状が左右対称であること以外は共通であるため、以下では左端側に設けられる階段支持用治具１０の構成について説明する。
【００２２】
図２乃至図６に示されるように、階段支持用治具１０は、掛止部１１、連結部１３、及び支持部１５を有する。掛止部１１は、鉄骨梁２に掛止される部分であり、支持部１５は木製階段４を支持する部分であり、連結部１３は、掛止部１１と支持部１５を連結する部分である。
【００２３】
階段支持用治具１０は、金属、樹脂、木材等の各種材料を用いて構成してよいが、本実施形態では階段支持用治具１０は金属製（例えば鋼製）とする。こうすることで階段支持用治具１０の剛性を高め、木製階段４を安定して支持可能となる。なお、掛止部１１、連結部１３及び支持部１５は一体成形されることとしてもよいし、溶接等により互いに接合されてもよい。
【００２４】
図２及び図３に示されるように、掛止部１１は、鉄骨梁２の上フランジ２Ｂに掛止される部分である。
具体的には、掛止部１１は、鉄骨梁２の上フランジ２Ｂに当接する矩形状の平板部である。
また、図２乃至図６に示されるように、掛止部１１は、連結部１３に接合している。上述したように連結部１３は、掛止部１１と支持部１５とを連結する部材である。
【００２５】
次に、連結部１３の形状について説明する。図４及び図５に示されるように、連結部１３は、左右方向から見たときに略Ｓ字状であり、、前後方向から見たときに平板状に形成される。
具体的には、連結部１３は、第１接続部１３Ａ、屈曲部１３Ｂ及び第２接続部１３Ｃを有する。
【００２６】
第１接続部１３Ａは、連結部１３において、掛止部１１と接合している箇所である。掛止部１１と第１接続部１３Ａとは、例えば溶接により接合されることとしてよい。
本実施形態では、第１接続部１３Ａは、その下端部において掛止部１１と接合しており、第１接続部１３Ａと掛止部１１とは、略Ｌ字状、すなわち略直交した状態（略垂直に延出した状態）で接合している。
すなわち、掛止部１１は、上下に延出する連結部１３の右側面から、右方向に延出している。ここで、第１接続部１３Ａと掛止部１１とはそれぞれ前後方向に関し、同じ長さに構成される。
【００２７】
そして、第１接続部１３Ａの後部からは屈曲部１３Ｂが下方に延出している。具体的には、図２及び図４に示されるように、屈曲部１３Ｂは、第１下方延出部１３Ｂａ、斜方延出部１３Ｂｂ及び第２下方延出部１３Ｂｃを有する。
【００２８】
第１下方延出部１３Ｂａは、第１接続部１３Ａと掛止部１１のそれぞれに接続し、第１接続部１３Ａからの後部から鉛直下方に延出している。ここで、第１下方延出部１３Ｂａの前後方向の長さは、掛止部１１及び第１接続部１３Ａの前後方向の長さの略半分である。
【００２９】
また、図２及び図３に示されるように、第１下方延出部１３Ｂａの前端面は、鉄骨梁２の上フランジ２Ｂに当接する。この場合、掛止部１１の斜方延出部１３Ｂｂよりも前方側が上フランジ２Ｂの上面と当接することで、上フランジ２Ｂにより支持されることとなる。
【００３０】
そして、図４に示されるように、第１下方延出部１３Ｂａの下方には、斜め後方に延出する斜方延出部１３Ｂｂが連結している。すなわち、第１下方延出部１３Ｂａと斜方延出部１３Ｂｂにの延出方向は異なっており、これにより連結部１３は屈曲した形状をなす。なお、以下において、第１下方延出部１３Ｂａと斜方延出部１３Ｂｂとの接続部を第１屈曲部と称する。
【００３１】
そして、図４に示されるように、斜方延出部１３Ｂｂの下方には、鉛直下方に延出する第２下方延出部１３Ｂｃが連結している。このように、斜方延出部１３Ｂｂと第２下方延出部１３Ｂｃの延出方向はことなっており、これにより連結部１３は屈曲した形状をなす。なお、以下において、斜方延出部１３Ｂｂと第２下方延出部１３Ｂｃとの接続部を第２屈曲部と称する。
【００３２】
また、本実施形態では、第２下方延出部１３Ｂｃの前後方向の長さは、掛止部１１及び第１接続部１３Ａの前後方向の長さの略半分である。すなわち、図４に示されるように、屈曲部１３Ｂの前後方向の長さは、掛止部１１及び第１接続部１３Ａと略同じである。そのため、図６に示されるように、階段支持用治具１０を上方から見た場合には、第１接続部１３Ａ及び掛止部１１の下方に、屈曲部１３Ｂが隠されるようになる。
このように階段支持用治具１０を構成することにより、階段支持用治具１０を左右及び前後方向にコンパクトな形状とすることができる。
【００３３】
また、図４に示されるように、第２下方延出部１３Ｂｃの下方には、前後方向に延出する第２接続部１３Ｃが連結している。
第２接続部１３Ｃは、掛止部１１と平行に設けられ、木製階段４を支持する支持部１５に接合している。支持部１５と第２接続部１３Ｃとは、例えば溶接により接合されることとしてよい。
【００３４】
支持部１５は、掛止部１１が鉄骨梁２の上フランジ２Ｂに掛止された状態で木製階段４を支持する部分である。
具体的には、図３に示されるように、支持部１５は、矩形状の平板部であり、木製階段４の側部４Ｂの内面側に設けられた直方体状の被支持部４Ｃの下面に当接し、被支持部４Ｃを下方から支持する。
ここで、図４及び図６に示されるように、支持部１５は、掛止部１１及び連結部１３よりも前後方向に長く、掛止部１１及び連結部１３に対して前方が突出した形状をなす。
そして、支持部１５の前方側の面が木製階段４の被支持部４Ｃを支持する支持面となる。
【００３５】
また、図５に示されるように、掛止部１１と支持部１５は、連結部１３から略垂直方向であって、同じ向きに延出している。そして、図５及び図６に示されるように、掛止部１１と支持部１５の左右方向の幅は、略同一である。こうすることで、階段支持用治具１０を左右方向にコンパクトに構成できる。
【００３６】
また、図４に示されるように、第２接続部１３Ｃの前方側には、複数の貫通孔１４が形成されている。なお、第２接続部１３Ｃは、階段支持用治具１０により木製階段４を支持する際に、木製階段４の側部４Ｂの内面に当接するように配される。この状態で、貫通孔１４の箇所に締結具（例えばビス）を挿通して、第２接続部１３Ｃと木製階段４の側部４Ｂとを固定する。これにより、木製階段４に階段支持用治具１０を固定することができるため、階段支持用治具１０の脱落を防止できる。
【００３７】
図２及び図３に示されるように、階段支持用治具１０の掛止部１１が鉄骨梁２の上フランジ２Ｂに掛止された状態において、第１接続部１３Ａは上フランジ２Ｂよりも上下方向で上にあり、且つ第２接続部１３Ｃは下フランジ２Ｃよりも上下方向で上にある。
こうすることで、階段支持用治具１０が鉄骨梁２に干渉しないように配置可能となる。
【００３８】
次に、図２、図３、図７乃至図１０を参照しながら、階段支持用治具１０の取り付け及び取り外しの各工程について説明する。
【００３９】
＜階段支持用治具１０の取り付け工程＞
まず、鉄骨梁２の上フランジ２Ｂに対して掛止部１１を掛止した状態で階段支持用治具１０を左右に配置する。
次に、木製階段４を鉄骨梁２に対して仮付けする位置まで移動させ、木製階段４の被支持部４Ｃを支持部１５の上に配置する。
次に、階段支持用治具１０の第２接続部１３Ｃが木製階段４の側部４Ｂに当接するように階段支持用治具１０の位置を調整する。
そして、第２接続部１３Ｃの貫通孔１４に通じてビス止めをして階段支持用治具１０と木製階段４とを固定する。
【００４０】
上記のように階段支持用治具１０と木製階段４とをビス止めすることで、階段支持用治具１０の木製階段４に対する回転が規制される。これにより、階段支持用治具１０が脱落することを抑制できる。
【００４１】
なお、上記の工程では、階段支持用治具１０を鉄骨梁２に配置した後に階段支持用治具１０と木製階段４とを固定することとしたが、階段支持用治具１０を木製階段４にビス止めした後に、掛止部１１を鉄骨梁２に掛止するようにしてもよい。
【００４２】
＜階段支持用治具１０の取り外し工程＞
次に、建物１に床、壁等を取り付け、木製階段４を壁等に本固定する工事が終了した後に、階段支持用治具１０を鉄骨梁２及び木製階段４から取り外す作業を実施する。
【００４３】
＜＜工程ａ＞＞
まず、階段支持用治具１０の第２接続部１３Ｃと木製階段４とを固定するビスを外し、階段支持用治具１０の回転が可能な状態とする。
【００４４】
＜＜工程ｂ＞＞
次に、図７に示されるように、階段支持用治具１０の回転軸Ｒを中心として（すなわち回転軸Ｒ周りに）、階段支持用治具１０を上面から見て時計回りに９０度回転させる。
なお、図４に示されるように、回転軸Ｒは、斜方延出部１３Ｂｂを上下方向に貫く軸である。より具体的には、回転軸Ｒは、屈曲部１３Ｂの左右方向の中心を上下方向に貫く直線である。
そして、上記工程ｂにより、鉄骨梁２の上フランジ２Ｂに掛止部１１が掛止された状態が解除されるため、階段支持用治具１０を下方に移動可能となる。
【００４５】
＜＜工程ｃ＞＞
次に、図８に示されるように、階段支持用治具１０の掛止部１１が、木製階段４の上端部４Ａに当接するまで階段支持用治具１０を下方に移動させる。
ここで、掛止部１１と支持部１５との上下方向の距離Ｌは、木製階段４の上端部４Ａと、鉄骨梁２の下フランジ２Ｃの上下方向の距離Ｄよりも長い。
こうすることで、掛止部１１が上端部４Ａに当接した状態では、支持部１５の上下方向において下フランジ２Ｃの下方に位置することとなる。
【００４６】
＜＜工程ｄ＞＞
次に、図９に示されるように、階段支持用治具１０の回転軸Ｒを中心として、階段支持用治具１０を上面から見て反時計回りに１８０度回転させる。ここで、木製階段４の上端部４Ａと鉄骨梁２のウェブ２Ａとの間には、掛止部１１が回転軸Ｒ周りに回転可能な十分なスペースがある。また、支持部１５は下フランジ２Ｃよりも下方に位置しているため、回転軸Ｒ周りに回転した場合にも下フランジ２Ｃに干渉することはない。
【００４７】
＜＜工程ｅ＞＞
そして、図１０に示されるように、階段支持用治具１０の掛止部１１を木製階段４と鉄骨梁２のウェブ２Ａとの隙間を下方に移動させるとともに、階段支持用治具１０を木製階段４の下方のスペースに移動させることで、階段支持用治具１０を取り外すことができる。
【００４８】
なお、上記の階段支持用治具１０の取り外し工程の工程ｄ及び工程ｅは、鉄骨梁２と木製階段４との隙間が空いており、階段支持用治具１０を回転させながら抜くことができる場合には省略可能である。
【００４９】
上記の階段支持用治具１０の取り外し工程は、木製階段４の左端部を支持する階段支持用治具１０について説明したが、木製階段４の右端部を支持する階段支持用治具１０についても同様の手順で実行することができる。
また、上記の階段支持用治具１０の取り外し工程は、ビス外しから階段支持用治具１０の最終的な取り外しに至るまで全ての工程を、木製階段４の上端部４Ａの下方から実施可能であるため、作業時間の短縮が可能である。
【００５０】
また、上記の階段支持用治具１０は鉄骨梁２に対しては掛止により取り付けており、穴等を開けることがないため、鉄骨梁２の剛性を低下させることがない。
また、階段支持用治具１０は、取り外し可能であるため、階段支持用治具１０の再利用が可能である。
【００５１】
＜まとめ＞
以上説明した本実施形態に係る階段支持用治具１０の主な特徴は以下の通りである。
階段支持用治具１０は、建物１の鉄骨梁２に近接して設置される木製階段４を、建物１の木部材に固定する前に、鉄骨梁２に対して取り付けるために用いられる。階段支持用治具１０は、鉄骨梁２の上端（上フランジ２Ｂ）に掛止される掛止部１１と、掛止部１１が鉄骨梁２の上端に掛止された状態で木製階段４を支持する支持部１５と、掛止部１１と支持部１５を連結する連結部１３と、を備える。
階段支持用治具１０によれば、木製階段４を建物１の木部材に固定する前に、木製階段４を鉄骨梁２に取り付けることができる。これにより、木製階段４を固定する前においても、木製階段４が利用可能となる。そのため、鉄骨構造の建物１に木製階段４を取り付ける場合において、鉄骨梁２に仮設階段を設置することを不要とし、工期の短縮化が可能となる。
また、木製階段４を鉄骨梁２に対して仮付けすることで、木製階段４を建物１の木部材に固定する際に木製階段４の位置調整がしやすくなる。
【００５２】
また、階段支持用治具１０において、連結部１３は、平板状であり、掛止部１１と支持部１５は、連結部１３から略垂直方向に延出している。
こうすることで、階段支持用治具１０は、簡易な構造により木製階段を安定的に支持することができる。
【００５３】
また、階段支持用治具１０において、掛止部１１と支持部１５は、連結部１３から同じ向きに延出している。
こうすることで、階段支持用治具１０を回転させることで掛止部１１と支持部１５を鉄骨梁２と木製階段４と干渉しない位置に向けることができる。これにより、階段支持用治具を取り外しやすくなる。
【００５４】
また、階段支持用治具１０において、連結部１３は、鉄骨梁２と木製階段４を避けるように屈曲している。
こうすることで、鉄骨梁２と木製階段４との干渉を避けて階段支持用治具１０を配置しやすくなる。
【００５５】
また、階段支持用治具１０において、鉄骨梁２は、上下に延出するウェブ２Ａと、ウェブ２Ａの上端に接続する上フランジ２Ｂと、ウェブ２Ａの下端に接続する下フランジ２Ｃと、を有する。連結部１３は、掛止部１１と接続する第１接続部１３Ａと、支持部１５と接続する第２接続部１３Ｃと、第１接続部１３Ａと第２接続部１３Ｃを連結する屈曲部１３Ｂと、を有する。そして、掛止部１１が、鉄骨梁２の上フランジ２Ｂに掛止された状態で、第１接続部１３Ａは上フランジより上方にあり、第２接続部１３Ｃは下フランジよりも上方にある。
こうすることで、Ｈ形の鉄骨梁２に対して木製階段４を取り付けることができる。また、階段支持用治具１０を、Ｈ形の鉄骨梁２のフランジに干渉しないように設置できる。
【００５６】
また、階段支持用治具１０において、屈曲部は、第１接続部から下方に延出する第１下方延出部と、第１下方延出部から斜め下方に延出する斜方延出部と、斜方延出部から下方に延出し、第２接続部に接続する第２下方延出部と、を有し、斜方延出部を上下方向に貫く回転軸周りに回転可能である。
こうすることで、階段支持用治具１０を回転軸周りにコンパクトに回転させることができる。これにより、階段支持用治具１０が回転する際に、鉄骨梁２や木製階段４に干渉することを抑制できる。
そのため、木製階段４を建物１の木部材に固定した後に、階段支持用治具１０を取り外しやすくなる。
【００５７】
また、階段支持用治具１０において、第２接続部１３Ｃには、１以上の貫通孔１４が形成され、貫通孔１４に挿通される締結具（ビス）により、第２接続部１３Ｃが木製階段４の側部４Ｂに対して固定可能である。
こうすることで、階段支持用治具１０が木製階段４から外れないように固定できる。これにより、階段支持用治具１０の動きを規制し、階段支持用治具１０の脱落を抑制できる。また、木製階段４の支持を安定させ、木製階段４のがたつきを抑制できる。
【００５８】
また、階段支持用治具１０において、掛止部１１と支持部１５との上下方向の距離は、木製階段４の上端（上端部４Ａ）と、鉄骨梁２の下端（下フランジ２Ｃ）との上下方向の距離よりも長い。
こうすることで、階段支持用治具１０を取り外す際に、木製階段４と鉄骨梁２に干渉することを抑制できる。これにより、階段支持用治具１０を取り外しやすくなる。
【００５９】
また、階段支持用治具１０において、連結部１３は、略Ｓ字状に屈曲している。
こうすることで、階段支持用治具１０の剛性を高めることができる。
【００６０】
＜その他の実施形態＞
本発明は上記の実施形態に限定されるものではない。
例えば、上記の実施形態では、階段支持用治具１０を鉄骨梁２に仮設する際に、階段支持用治具１０を木製階段４に対してビス止めして固定するようにしたが、階段支持用治具１０を木製階段４に対してビス止めしなくともよい。
【００６１】
例えば、連結部１３は平板により構成し、掛止部１１と支持部１５を真っ直ぐに接続してもよい。
また例えば、屈曲部１３Ｂの第１屈曲部と第２屈曲部は湾曲形状であってもよい。
また例えば、連結部１３には、掛止部１１より上方に突出する部分を設けなくともよい。
【符号の説明】
【００６２】
１  建物
２  鉄骨梁
２Ａ  ウェブ
２Ｂ  上フランジ
２Ｃ  下フランジ
３  鉄骨柱
４  木製階段
４Ａ  上端部
４Ｂ  側部
４Ｃ  被支持部
５  床
１０  階段支持用治具
１１  掛止部
１３  連結部
１３Ａ  第１接続部
１３Ｂ  屈曲部
１３Ｂａ  第１下方延出部
１３Ｂｂ  斜方延出部
１３Ｂｃ  第２下方延出部
１３Ｃ  第２接続部
１４  貫通孔
１５  支持部
Ｒ  回転軸
【図１】
2019112864.tif 000003
【図２】
2019112864.tif 000004
【図３】
2019112864.tif 000005
【図４】
2019112864.tif 000006
【図５】
2019112864.tif 000007
【図６】
2019112864.tif 000008
【図７】
2019112864.tif 000009
【図８】
2019112864.tif 000010
【図９】
2019112864.tif 000011
【図１０】
2019112864.tif 000012